(57)【要約】【課題】電気コネクタ組立体およびそれに使用されるプラグコネクタ、リセプタクルコネクタにおいて、低背且つ狭幅、小型なものとする。【解決手段】プラグコネクタ１０は、側面に露出する２個のコンタクト１１を互いに逆向き且つ並列に有する。リセプタクルコネクタ１００は、プラグコネクタ１０を受容する凹部１０４を有するとともに、この凹部１０４の、コンタクト１１に対応する位置に露出する２個のコンタクト１３２を有する。プラグコネクタ１０とリセプタクルコネクタ１００が嵌合すると、コンタクト１３２の弾性接触片１４０がコンタクト１１の片側に接触して、プラグコネクタ１０の側部で電気的に接触する。【選択図】　　　　　図６
2004055485.tif 000002
【特許請求の範囲】
【請求項１】
電線に接続される一方のコンタクトを有するプラグコネクタと、前記一方のコンタクトに接触する他方のコンタクトを有する、基板に実装されるリセプタクルコネクタとからなる電気コネクタ組立体において、
前記プラグコネクタが、互いに逆向きの側面を有し、
前記一方のコンタクトが、前記プラグコネクタと前記リセプタクルコネクタとの組立時に前記プラグコネクタに取り付けられる前記電線が前記基板と略平行になるように前記電線を接続保持する電線接続部および前記プラグコネクタの一方の前記側面に露出する接触面を有し、
前記リセプタクルコネクタが、前記プラグコネクタを受容するための、上方に開放し且つ前記電線側の側方に開放する凹部を有し、
前記他方のコンタクトが、前記凹部に露出して前記プラグコネクタを前記凹部に受容したときに前記一方のコンタクトの前記接触面と接触する接触部および前記基板に電気的に接続される基板接続部を有し、
前記一方のコンタクトが互いに逆向きに並列に２個配置され、前記他方のコンタクトが前記一方のコンタクトに対応させて互いに逆向きに２個並列に配置されてなることを特徴とする電気コネクタ組立体。
【請求項２】
互いに逆向きの側面を有する絶縁性のプラグハウジングと、
該プラグハウジング内に電線を接続保持する電線接続部および前記側面に露出する接触面を有するコンタクトとを備え、
該コンタクトが前記ハウジングに互いに逆向きに２個並列に配置されてなることを特徴とするプラグコネクタ。
【請求項３】
プラグコネクタを受容するための、上方に開放し且つ前記プラグコネクタに接続された電線側の側方に開放した凹部が形成されたリセプタクルハウジングと、
前記凹部に露出して前記プラグコネクタを前記凹部に受容したときに前記プラグコネクタのコンタクトの接触面と接触する接触部および基板に電気的に接続される基板接続部を有するコンタクトとを備え、
該コンタクトが、前記プラグコネクタの前記コンタクトに対応して、前記リセプタクルハウジングに互いに逆向きに２個並列に配置されていることを特徴とするリセプタクルコネクタ。
【請求項４】
前記リセプタクルコネクタに、前記側方とは反対側の側壁上部に切欠が設けられ、前記プラグコネクタに、前記リセプタクルコネクタとの完全嵌合時に前記切欠と組み合う該切欠と相補的な凸部が設けられていることを特徴とする請求項１記載の電気コネクタ組立体。
【請求項５】
前記プラグコネクタおよび前記リセプタクルコネクタに、前記接触面および前記接触部よりも電線導出側に前記プラグコネクタと前記リセプタクルコネクタの嵌合時に互いに係合するロック部が形成されてなることを特徴とする請求項１または４記載の電気コネクタ組立体。
【発明の詳細な説明】
【０００１】
【発明の属する技術分野】
本発明は、携帯電話等の小型電気／電子機器内で使用するのに適した電気コネクタ組立体およびそれに使用されるプラグコネクタ、リセプタクルコネクタに関するものである。
【０００２】
【従来の技術】
従来、電線とプリント回路基板（プリント板）とを電気的に接続するのに、電気コネクタ組立体を介して接続することが知られている。このような電気コネクタ組立体の一例が、実公平８−６３６８号公報に開示されている。この従来技術のコネクタは、電線に接続された第１コネクタ（プラグコネクタ）と、プリント板に固定された第２コネクタ（リセプタクルコネクタ）とから構成されている。
【０００３】
この電線の先端部には、電線の心線に接続された圧接コンタクトが圧接接続されているとともに、電線のシールド外被に圧着コンタクトが圧着されている。そして、電線の先端部は、第１のハウジングに収容されてプラグコネクタが構成されている。他方、リセプタクルコネクタは、プラグコネクタを収容する第２のハウジングを有し、この第２のハウジング内に、プラグコネクタの圧接および圧着コンタクトと夫々接触する２つの他方のコンタクトが配置されている。
【０００４】
この従来技術においては、電線は１本のみが接続されるようになっている。前述の他方のコンタクトの各々は、電線の圧接コンタクトまたは圧着コンタクトに両外側から接触する１対のアームを有している。
【０００５】
【発明が解決しようとする課題】
上記従来のコネクタは、プラグコネクタとリセプタクルコネクタのコンタクト同士が嵌合すると、基板と平行な面に沿って互いに配置されるので、基板から突出せずに低背となる。しかし、リセプタクルコネクタのコンタクトは、プラグコネクタのコンタクトの両側に撓み可能なアームを有しているので、次のような問題が生じる。即ち、アームは必要な接圧を確保するために、基板と平行なコネクタの幅方向に所定の可動範囲を必要とし、その結果、コネクタの幅が大きくなってしまう。コネクタの極数が２極になった場合、コンタクトは、さらに横方向のスペースを必要とするため、実装面積に制約のある小型の電気／電子機器に使用することが困難となる虞がある。
【０００６】
本発明は、以上の点に鑑みてなされたものであり、低背であるとともに、狭幅、小型の電気コネクタ組立体、およびそれに使用されるプラグコネクタ、リセプタクルコネクタを提供することを目的とする。
【０００７】
【課題を解決するための手段】
本発明の電気コネクタ組立体は、電線に接続される一方のコンタクトを有するプラグコネクタと、この一方のコンタクトに接触する他方のコンタクトを有する、基板に実装されるリセプタクルコネクタとからなる電気コネクタ組立体において、プラグコネクタが、互いに逆向きの側面を有し、一方のコンタクトが、プラグコネクタとリセプタクルコネクタとの組立時にプラグコネクタに取り付けられる電線が基板と略平行になるように電線を接続保持する電線接続部およびプラグコネクタの一方の側面に露出する接触面を有し、リセプタクルコネクタが、プラグコネクタを受容するための、上方に開放し且つ電線側の側方に開放する凹部を有し、他方のコンタクトが、凹部に露出してプラグコネクタを凹部に受容したときに一方のコンタクトの接触面と接触する接触部および基板に電気的に接続される基板接続部を有し、一方のコンタクトが互いに逆向きに並列に２個配置され、他方のコンタクトが一方のコンタクトに対応させて互いに逆向きに２個並列に配置されてなることを特徴とするものである。
【０００８】
また、本発明のプラグコネクタは、互いに逆向きの側面を有する絶縁性のプラグハウジングと、プラグハウジング内に電線を接続保持する電線接続部および側面に露出する接触面を有するコンタクトとを備え、コンタクトがハウジングに互いに逆向きに２個並列に配置されてなることを特徴とするものである。
【０００９】
さらに、本発明のリセプタクルコネクタは、プラグコネクタを受容するための、上方に開放し且つ前記プラグコネクタに接続された電線側の側方に開放した凹部が形成されたリセプタクルハウジングと、凹部に露出してプラグコネクタを凹部に受容したときにプラグコネクタのコンタクトの接触面と接触する接触部および基板に電気的に接続される接続部を有するコンタクトとを備え、コンタクトがプラグコネクタのコンタクトに対応して、リセプタクルハウジングに互いに逆向きに２個並列に配置されていることを特徴とするものである。
【００１０】
上記リセプタクルコネクタに、側方とは反対側の側壁上部に切欠が設けられ、プラグコネクタに、リセプタクルコネクタとの完全嵌合時に切欠と組み合う該切欠と相補的な凸部を設けてもよい。
【００１１】
さらに、プラグコネクタおよびリセプタクルコネクタに、接触面および接触部よりも電線導出側にプラグコネクタとリセプタクルコネクタの嵌合時に互いに係合するロック部が形成されていてもよい。
【００１２】
また、プラグコネクタのプラグハウジングに、プラグハウジングの上面に開放した２つのコンタクト受容溝が並列に設けられ、一方のコンタクト（プラグコネクタのコンタクト）は、圧接型のコンタクトであり、この一方のコンタクトがコンタクト受容溝に配置されて、このコンタクトに電線が圧接接続されてプラグコネクタが構成されてもよい。このプラグコネクタは、コンタクト受容溝をリセプタクルコネクタ側に向けて嵌合することが好ましい。また、コンタクト受容溝の電線導出側端部に、電線の抜けを防止する返し（矢じり）が形成されていることが好ましい。
【００１３】
また、上記他方のコンタクトの接触部は、電線の軸線方向（長手方向）に離隔した複数の弾性接触片とすることができる。
【００１４】
【発明の効果】
本発明の電気コネクタ組立体は、プラグコネクタが、互いに逆向きの側面を有し、このプラグコネクタの一方のコンタクトが、電線を接続保持する電線接続部およびプラグコネクタの一方の側面に露出する接触面を有している。他方、リセプタクルコネクタは、プラグコネクタを受容するための、上方に開放し且つ電線側の側方に開放する凹部を有している。そして、このリセプタクルコネクタの他方のコンタクトが、凹部に露出してプラグコネクタを凹部に受容したときに、一方のコンタクトの接触面と接触する接触部および基板に電気的に接続される基板接続部を有している。これら、一方のコンタクトは、互いに逆向きに並列に２個配置され、他方のコンタクトは、一方のコンタクトに対応させて互いに逆向きに２個並列に配置されているので、次の効果を奏する。
【００１５】
即ち、リセプタクルコネクタのコンタクトは、プラグコネクタのコンタクトの側部の片側で接触するので、コンタクトの幅方向のスペースが少なくてすむ。従って、コネクタ組立体を低背にできるとともに、コネクタ組立体の幅を小さくして小型にすることができる。
【００１６】
また、本発明のプラグコネクタは、互いに逆向きの側面を有する絶縁性のプラグハウジングと、電線を接続保持する電線接続部および側面に露出する接触面を有するコンタクトとを備えており、このコンタクトがプラグハウジングに互いに逆向きに２個並列に配置されているので、コンタクトの接触部をプラグコネクタの側面に有することができ、低背のコネクタとすることができる。
【００１７】
本発明のリセプタクルコネクタは、プラグコネクタを受容するための、上方に開放し且つ前記プラグコネクタに接続された電線側の側方に開放した凹部が形成されたリセプタクルハウジングと、凹部に露出してプラグコネクタを凹部に受容したときにプラグコネクタのコンタクトの接触面と接触する接触部および基板に電気的に接続される接続部を有するコンタクトとを備えており、このコンタクトがプラグコネクタのコンタクトに対応して、リセプタクルハウジングに互いに逆向きに２個並列に配置されているので、プラグコネクタとリセプタクルコネクタとを組み合わせたときに、低背のコネクタ組立体とすることができる。
【００１８】
また、リセプタクルコネクタに、側方とは反対側の側壁上部に切欠が設けられ、プラグコネクタに、リセプタクルコネクタとの完全嵌合時に切欠と組み合う該切欠と相補的な凸部が設けられている場合は、リセプタクルコネクタの完全嵌合を目視で確認できる。換言すると、プラグコネクタが上下逆に取り付けられた時は、凸部と切欠が嵌合初期に係合して、プラグコネクタが凹部から突出した状態となり、それ以上プラグコネクタを凹部に押し込むことができないため嵌合が正常に行われていないことを目視で確認できるので、誤った嵌合を防止することができる。
【００１９】
さらに、プラグコネクタおよびリセプタクルコネクタに、接触面および接触部よりも電線導出側にプラグコネクタとリセプタクルコネクタの嵌合時に互いに係合するロック部が形成されている場合は、電線のこじりに対してプラグコネクタが外れにくいものとすることができる。
【００２０】
【発明の実施の形態】
以下、本発明の電気コネクタ組立体（以下、単に組立体という）、プラグコネクタおよびリセプタクルコネクタの好ましい実施の形態について詳細に説明する。図１は、本発明のプラグコネクタの斜視図であり、図２は、図１に示すプラグコネクタを示し、図２（Ａ）は平面図、図２（Ｂ）は側面図である。
【００２１】
以下、図１および図２を参照して、最初にプラグコネクタ１０について説明する。プラグコネクタ１０は、絶縁性のプラグハウジング（以下、単にハウジングという）２から構成され、全体が薄型の概ね直方体形状となっている。ハウジング２は左右対称に構成されており、ハウジング２の両外側の側面を形成する側壁４には、ハウジング２の長手方向３に沿った中央に凹所６が形成されている。そして、この凹所６の内側には１対のコンタクト受容溝（以下、単に受容溝という）８がハウジング２の長手方向即ち電線Ｗの長手方向３に沿って、ハウジング２の上面１２に開放するように形成されている。そしてこの２つの受容溝８には圧接型のコンタクト（一方のコンタクト）１１が夫々配置されている。
【００２２】
このハウジング２の形状について、さらに詳細に説明する。なお、説明にあたり、構造が左右対称であるため、主として片側について説明する。また、便宜上、図１に示すプラグコネクタ１０の上に向くハウジング面を上面１２といい、電線導出側のハウジング２の側壁を前壁２２という。前述の凹所６は、ハウジング２の上面１２から下面１４（図２（Ｂ））に亘り、且つハウジング２の内方に向けて形成され、ハウジング２の側方に開放している。そしてこの凹所６の内方には、上面１２に開放する狭幅の凹溝１６が長手方向３に沿って形成されている。この凹溝１６と前述の受容溝８は、上面１２に開放する通路１８により連通している。この通路１８は、凹所６の長手方向３の略中間に形成されている。
【００２３】
前述の受容溝８は、凹溝１６より長く且つ幅広に形成されており、後部は後壁４４の一部である停止壁２０となって閉鎖され、前壁２２側は開放している。受容溝８の長手方向３の略中間には、電線Ｗの幅方向に広い幅広部２４が上面１２からハウジング２の底壁２６にかけて形成されている。また、前壁２２には、受容溝８に対応して電線配置溝２８が形成されている。この電線配置溝２８は、上面１２の両側から電線配置溝２８内に延びる、弾性変形が可能な返し（矢じり）３０を有する。１対の返し３０、３０間には、電線Ｗが通過する間隙３１が形成されている。この返し３０には、上面１２側に電線Ｗを案内する円弧面乃至テーパ３０ａが形成されており、電線Ｗの挿入を容易にしている。
【００２４】
次に、受容溝８に受容されるコンタクト１１について説明する。コンタクト１１は、図１にハウジング２から１個を分離して示すように、１枚の金属板から打ち抜き折り曲げにより形成され、略矩形板状の基部３２と、この基部３２の長手方向３の両側の各々に、一体に折り曲げ形成した圧接板（電線接続部）３４と、基部３２に板状の連結部３５を介して一体に上方に折り曲げられた接触板３６とから構成されている。この接触板３６の外側の面が、後述するリセプタクルコネクタ１００のコンタクト（他方のコンタクト）１３２と電気的に接触する接触面３６ａとなる。
【００２５】
電線Ｗの長手方向３に離隔した１対の圧接板３４は、各々上方に開放したスロット３８を有している。この２つのスロット３８は電線Ｗの長手方向３に整列しており、電線Ｗを押し込んで電気的に接続するよう構成されている。この圧接板３４の下端両側には、バーブ即ち突起４０が形成されている。
【００２６】
また、前述の接触板３６は長手方向３に沿って延びる直立した板状であり、その中央部に外側に突出したビード４２が長手方向３に沿って形成されている。このビード４２の作用については後述する。また、接触板３６の長手方向３に沿う両端には、突起４３が接触板３６の板厚と同じ面内に突設されている。
【００２７】
このコンタクト１１を、ハウジング２に取り付けるには、コンタクト１１を受容溝８に上面１２側から押し込んで挿入する。その際、基部３２はハウジング２の幅広部２４に、接触板３６は凹溝１６に夫々圧入される。このとき連結部３５は、通路１８に配置される。そして、前述の突起４０、４３は、夫々幅広部２４、凹溝１６の内面と干渉係合して、ハウジング２から抜け出ることが防止される。
【００２８】
コンタクト１１は、このようにしてハウジング２の１対の受容溝８に各々配置される。そして次に、電線Ｗが各コンタクト１１の上方に配置されて、業界で既知の方法により、電線Ｗが圧接板３４のスロット３８に押し込まれる。電線Ｗを配置する際に、前述の停止壁２０が電線Ｗの先端２１の位置決めに使用される。電線Ｗがスロット３８に押し込まれると、電線Ｗの外被がスロット３８のエッジにより破られて、電線Ｗの心線（図示せず）と接触板３６とが電気的に接続される。電線Ｗの導出側端部は、返し３０の部分の間隙３１から電線配置溝２８内に返し３０を変形させながら押し込まれる。押し込まれた電線Ｗは、返し３０の自由端により上方に抜け出ることが防止される。
【００２９】
また、図２に示すように、プラグコネクタ１０は、電線導出端側と反対の後壁４４の下部中央部に、電線Ｗの幅方向に沿って延びるタブ（凸部）４６が突設されている。タブ４６の下面とハウジング２の下面１４は面一となっている。このタブ４６の作用については後述する。また、電線導出側の側壁４には、上向きのテーパ５ａを有するラッチ突起（ロック部）５が突設されている。また、側壁４の上端および後壁４４の上端には、リセプタクルコネクタ１００との嵌合時に案内となるテーパ４ａ、４４ａがぞれぞれ形成されている。
【００３０】
次に、このプラグコネクタ１０と嵌合するリセプタクルコネクタ１００について図３を参照して説明する。図３は、本発明のリセプタクルコネク１００の斜視図である。リセプタクルコネクタ１００は、薄型直方体の絶縁性のリセプタクルハウジングハウジング（以下、単にハウジングという）１０２を有する。ハウジング１０２は、プラグコネクタ１０を受容する凹部１０４を略中央部に有する。凹部１０４は、ハウジング１０２の上面１０６および前方に開放しており、後壁１０８、内壁１１０および底壁１１２により画成されている。また、後壁１０８の上端には前述のプラグコネクタ１０のタブ４６と相補的な切欠１１４が設けられている。
【００３１】
ハウジング１０２は左右対称形状なので、主として片側について説明する。ハウジング１０２の側壁１１６には、上面１０６から下面１１８に至る凹所１２０が形成されている。この凹所１２０の内側には、前述の長手方向３に沿って延びる凹溝１２４が形成されている。凹部１０４には、各内壁１１０から内側に２つのリブ１２６、１２６が突設されている。リブ１２６、１２６は、前述のプラグコネクタ１０の凹所６の長手方向３に沿う長さ内に収容される間隔で配置されている。この２つのリブ１２６、１２６の中間には、リブ１２６と平行にリブ１２８がハウジング１０２と一体に成形されている。リブ１２６とリブ１２８は、凹所１２０に臨むコンタクト支持壁１３０により連結されている。このコンタクト支持壁１３０には、コンタクト１３２が取り付けられる。そしてリブ１２６とリブ１２８間の底壁１１２は、下面１１８に貫通した矩形の開口１３４となっている。
【００３２】
次に、このハウジング１０２に取り付けられるコンタクト１３２について説明する。コンタクト１３２は、図３中に、ハウジング１０２から１個を分離して示すように、１枚の金属板から打ち抜き折り曲げにより形成されている。コンタクト１３２は、上端に切欠１３６を有する板状の基部１３８と、切欠１３６内の離隔した２カ所から上方に延び、さらに下方に湾曲しながら折り曲げられて、基部１３８の下端近傍で湾曲しながら上方に再び折り曲げられる接触部即ち弾性接触片（以下、単に接触片という）１４０とから構成されている。
【００３３】
２つの接触片１４０は、前述のリブ１２６、１２８の間に配置されるような長手方向３に沿う間隔で形成されている。接触片１４０の先端部には、コンタクト１３２が凹部１０４内に配置されたときに、最も凹部１０４の内方に位置する膨出部１４０ａが形成されている。この膨出部１４０ａは、コンタクト同士が係合したときのロック部となるが詳細は後述する。接触片１４０の先端部は、この膨出部１４０ａからさらに基部１３８の方にむけて上方斜めに折り曲げられて案内面となっている。このように構成された接触片１４０は、全体として弾性を有し、接触片１４０の板厚方向に変形可能に構成されている。
【００３４】
また、基部１３８の両端には上下方向に離隔した２つの突起１３９が突設されている。基部１３８の他端には折り曲げにより、図示しない基板に表面実装される基板接続部１４１が、接触片１４０と反対側に形成されている。
【００３５】
次に、このコンタクト１３２をハウジング１０２に取り付ける方法について説明する。コンタクト１３２の基部１３８をハウジング１０２の上方から凹所１２０の凹溝１２４に向けて圧入すると、接触片１４０はコンタクト支持壁１３０に被着されるように配置される（図６）。このとき、接触片１４０の下部は、開口１３４に配置され、底壁１１２と干渉することがないので、接触片１４０に十分な撓み作用を付与することができる。そして、接触片１４０はリブ１２６、１２８により保護された状態でリブ１２６、１２８の間に位置する。特に２つの接触片１４０は、中間のリブ１２８が存在することにより、誤嵌合や外力のこじりに対して、過度の変形が防止されその形状が適切に維持される。また、基板接続部１４１が、図示しない基板にはんだ付されるときに、支持壁１３０によりはんだが、接触片１４０に向かって進入するのが阻止される。
【００３６】
コンタクト１３２を凹溝１２４に圧入すると、突起１３９は凹溝１２４と干渉係合して、基部１３８は凹溝１２４内に固定される。また、ハウジング１０２の凹部１０４には、前壁１４２近傍の内壁１１０に下向肩１４４を有する１対のラッチ突起１４６が形成されている。このラッチ突起１４６の作用については後述する。凹部１０４を画成している後壁１０８、内壁１１０の上縁内側には、プラグコネクタ１０との嵌合時に案内となるテーパ１４８が形成されている。
【００３７】
次に、プラグコネクタ１０とリセプタクルコネクタ１００との嵌合について図４から図６を参照して説明する。図４は、プラグコネクタ１０とリセプタクルコネクタ１００が互いに嵌合する直前の状態を示した斜視図であり、図５は、両コネクタ１０、１００の嵌合後を示す、本発明の電気コネクタ組立体の斜視図であり、図６は、図５の６−６線に沿う断面図である。
【００３８】
最初に図４を参照すると、プラグコネクタ１０は、リセプタクルコネクタ１００の凹部１０４に対応した位置で、返し３０が下側になるようにリセプタクルコネクタ１００に向けて配置されている。この状態からプラグコネクタ１０を凹部１０４に押し込むと、プラグコネクタ１０の側壁４は、凹部１０４の内壁１１０に沿って移動して凹部１０４内に収容される。そしてプラグコネクタ１０のラッチ突起５は、凹部１０４のラッチ突起（ロック部）１４６と係合し、互いに固定される。このラッチ突起５、１４６同士の係合により、電線Ｗの導出端部をこじっても、プラグコネクタ１０がリセプタクルコネクタ１００の凹部１０４から抜け出ないようにすることができる。
【００３９】
そして、図５に示すように、プラグコネクタ１０とリセプタクルコネクタ１００が完全に嵌合すると、プラグコネクタ１０のタブ４６が、リセプタクルコネクタ１００の切欠１１４に嵌入して、プラグコネクタ１０の下面１４とリセプタクルコネクタ１００の上面１０６が面一となる。これにより両コネクタ１０、１００が完全に嵌合したことが目視で確認できる。
【００４０】
仮に、プラグコネクタ１０を上下逆にしてリセプタクルコネクタ１００に押し込んだ場合は、プラグコネクタ１０のタブ４６が、嵌合作業の初期に切欠１１４に当接して、それ以上にプラグコネクタ１０を押し込むことができない。そのとき、プラグコネクタ１０は、リセプタクルコネクタ１００から突出した状態になっているので、目視により誤嵌合が容易に判る。また、タブ４６は、プラグコネクタ１０をリセプタクルコネクタ１００から取り外すときに、電線Ｗを持って上方に引っ張るとともに、タブ４６に指等を引っかけて上方に引き剥がす引き出しレバーとして使用することもできる。
【００４１】
次に、完全嵌合時のコンタクト１１、１３２同士の係合状態について、図６を参照して説明する。プラグコネクタ１０とリセプタクルコネクタ１００が嵌合すると、コンタクト１１のビード４２がコンタクト１３２の膨出部１４０ａを通過して係合する。これにより、コンタクト１１、１３２同士は電気的に接続されるとともに、互いに離れる方向への抜け止めとなる。即ち膨出部１４０ａとビード４２が、コネクタ１０、１００同士のロック部となる。
【００４２】
そして、これらのコンタクト１１、１３２の電気的接触部は、組立体１の内側にあり、外部から接触できない位置にあるので、各コンタクト１１の接触片１４０が２つあることと相俟って電気的接続の信頼性が高い。また、ビード４２と膨出部１４０ａは、互いの方へ突出しているので、互いを乗り越えることにより操作のクリック感（節度感）が生じる。このクリック感によっても完全嵌合を感覚的に認識できる。
【００４３】
また、プラグコネクタ１０から導出する電線Ｗは、図５に示す位置から上方にこじられても、前述のコンタクト１１、１３２同士のロックと、ラッチ突起５、１４６同士の係合によりプラグコネクタ１０とリセプタクルコネクタ１００が分離することが阻止される。特に、ラッチ突起５、１４６がコンタクト１１、１３２の接触部よりも電線導出端に近い側にあるので、ロック機能が一層効果的に働く。
【００４４】
また、電線Ｗが上方にこじられた場合、プラグコネクタ１０のハウジング２の底壁２６により電線Ｗの上方への移動が阻止されるとともに、プラグコネクタ１０のハウジング２が損傷することもない。電線Ｗが下方にこじられたときは、返し３０に力が加わるものの、リセプタクルコネクタ１００のハウジング１０２の底壁１１２によりその力が受け止められるので、返し３０が損傷する虞もない。
【００４５】
以上、本発明の好ましい実施の形態について詳細に説明したが、上記実施の形態に限定されるものではなく、種々の変形変更が可能である、例えば、プラグコネクタ１０のコンタクトは、圧着型のコンタクトとしてもよい。
【図面の簡単な説明】
【図１】本発明のプラグコネクタの斜視図
【図２】図１に示すプラグコネクタを示し、（Ａ）は平面図、（Ｂ）は側面図である。
【図３】本発明のリセプタクルコネクタの斜視図
【図４】図１のプラグコネクタと図３のリセプタクルコネクタが互いに嵌合する直前の状態を示した斜視図
【図５】プラグコネクタとリセプタクルコネクタの嵌合後を示す、本発明の電気コネクタ組立体の斜視図
【図６】図５の電気コネクタ組立体の６−６線に沿う断面図
【符号の説明】
１　　電気コネクタ組立体
２　　プラグハウジング
４　　側壁（側面）
５、１４６　　ラッチ突起（ロック部）
１０　　プラグコネクタ
１１　　一方のコンタクト
３４　　圧接板（電線接続部）
３６ａ　　接触面
４６　　タブ（凸部）
１００　　リセプタクルコネクタ
１０２　　リセプタクルハウジング
１０４　　凹部
１１４　　切欠
１３２　　他方のコンタクト
１４０　　弾性接触片（接触部）
１４１　　基板接続部
Ｗ　　電線
【図１】
2004055485.tif 000003
【図２】
2004055485.tif 000004
【図３】
2004055485.tif 000005
【図４】
2004055485.tif 000006
【図５】
2004055485.tif 000007
【図６】
2004055485.tif 000008